(57)【要約】電磁駆動装置（２）と少なくとも１つの電気接点（５）とを備え、電磁駆動装置（２）に駆動電流（Ｉ）が供給された際、前記駆動装置（２）によって電気接点（５）が断路位置（接点開）からブリッジ位置（接点閉）へと移行する電磁開閉装置に関する。本発明により、開閉装置が完全に組み立てられた状態で、接点（５）が断路位置に保持されると共に、開閉装置に結合される拘束部材（１１）により接点（５）が断路位置に機械的に拘束され、その結果、電磁駆動装置（２）に駆動電流（Ｉ）が供給された時でも接点（５）が断路位置に留まる。
2006501613.tif 000002
【特許請求の範囲】
【請求項１】
電磁駆動装置（２）と少なくとも１つの電気接点（５）とを備え、前記電磁駆動装置（２）に駆動電流（Ｉ）が供給されたとき該駆動装置（２）により前記電気接点（５）が断路位置からブリッジ位置へと移行され、前記接点（５）がブリッジ位置で閉成され、断路位置で開放される電磁開閉装置において、
開閉装置が完全に組み立てられた状態で、断路位置で前記開閉器に結合される拘束可能な拘束部材（１１）により前記接点（５）が断路位置に機械的に拘束され、前記電磁駆動装置（２）に前記駆動電流（Ｉ）が供給されたときも前記接点（５）が断路位置に留まることを特徴とする電磁開閉装置。
【請求項２】
前記拘束部材（１１）が拘束部材受入部（９）に挿入されることで、前記接点（５）が拘束されることを特徴とする請求項１記載の電磁開閉装置。
【請求項３】
前記拘束部材受入部（９）が両側に開放していることを特徴とする請求項２記載の電磁開閉装置。
【請求項４】
前記拘束部材受入部（９）が片側にのみ開放していることを特徴とする請求項２記載の電磁開閉装置。
【請求項５】
前記拘束部材（１１）が開閉装置内に落下しないように保持されることを特徴とする請求項１から４の１つに記載の電磁開閉装置。
【請求項６】
電流回路に挿入される補助スイッチ（１４）を備え、前記電磁駆動装置（２）に駆動電流が補助スイッチ（１４）を介して供給されることを特徴とする請求項１から５の１つに記載の電磁開閉装置。
【請求項７】
前記補助スイッチは、前記接点（５）が機械的に阻止された際に開路するよう構成されたことを特徴とする請求項６記載の電磁開閉装置。
【請求項８】
開閉装置が本体部（１）および該本体部（１）に接続された付属部（７）を備え、前記接点（５）が前記本体部（１）内に配置され、少なくとも前記接点（５）が前記断路位置に機械的に拘束された際に、前記拘束部材（１１）が前記付属部（７）に結合されることを特徴とする請求項１から７の１つに記載の電磁開閉装置。
【請求項９】
前記接点（５）が少なくとも前記断路位置に機械的に拘束された際、前記付属部（７）が前記本体部（１）に分離不能に結合されることを特徴とする請求項８記載の電磁開閉装置。
【請求項１０】
前記付属部（７）が前記本体部（１）にはめ込み式に係止されることを特徴とする請求項８又は９記載の電磁開閉装置。
【請求項１１】
前記付属部（７）が、前記接点（５）を駆動する接点ブリッジ支持体（４）の変位方向に平行に走る、前記本体部（１）の側面に隣接することを特徴とする請求項８から１０の１つに記載の電磁開閉装置。
【請求項１２】
前記付属部（７）が、前記接点（５）を駆動する接点ブリッジ支持体（４）の変位方向に直角に走る、前記本体部（１）の側面に隣接することを特徴とする請求項８から１０の１つに記載の電磁開閉装置。
【請求項１３】
前記補助スイッチ（１４）が前記付属部（７）内に配置されたことを特徴とする請求項６又は７記載の電磁開閉装置。
【請求項１４】
補助スイッチ（１６）が配置された補助スイッチハウジング（１５）が開閉装置に結合可能であり、前記補助スイッチ（１６）が、前記接点（５）を駆動する接点ブリッジ支持体（４）によって前記接点（５）と一緒に駆動されることを特徴とする請求項１から１３の１つに記載の電磁開閉装置。
【請求項１５】
前記補助スイッチ（１６）が前記接点ブリッジ支持体（４）により直接又は間接的に遊びなしに駆動されることを特徴とする請求項１４記載の電磁開閉装置。
【発明の詳細な説明】
【技術分野】
【０００１】
本発明は、電磁駆動装置と少なくとも１つの電気接点とを備え、前記駆動装置に駆動電流が供給された際該装置により電気接点が断路位置からブリッジ位置へと移行し、接点がブリッジ位置で閉成し、断路位置で開放する電磁開閉装置、特に電磁接触器に関する。
【０００２】
この種の開閉装置は一般的に公知である。例えば独国特許第１９９４４４６２号明細書や欧州特許出願公開第０３１３９５４号明細書、国際出願公開第ＷＯ０１／２４２１３号パンフレットにこの装置が開示されている。
【０００３】
電気設備の運転中に電気設備自体又は内部機器に電圧喪失が生じた際、その安全を保障する、断路器特性を持った主開閉器又は開閉装置が開示されている。これらは目に見える断路部や装置の開閉状態を確実に指示するインジケータにより、設備を電源から断路したことを確実に伝達せねばならない。しかし、特にそれはうっかりミスによる投入を確実に阻止する断路を可能にするものでなければならない。更に開閉部の高い耐電圧強度を確実に保証せねばならない。更にまた所定の漏れ電流を超えてはならない。
【０００４】
この種の装置は、例えばＩＥＣ６０９４７−２およびＩＥＣ６０９４７−３に規定されている。これら規格は、例えば断路器、負荷断路器、安全負荷断路器、更には断路機能を有する電力遮断器等の電気機器に適用される。
【０００５】
例えば電磁接触器等の電磁開閉装置は、その要求を満たし得ない。それはこの装置が電磁的に駆動されるからである。それらは通常、機械的に駆動したり、機械的に保持したりできない。そのため、電磁的開閉機能も機械的断路機能も満たすべく、従来技術では２つの独立した開閉装置を必要としている。
【０００６】
本発明の課題は、この種の電磁開閉装置を、ＩＥＣ６０９４７−２又はＩＥＣ６０９４７−３による断路器特性を満たすように改良することである。
【０００７】
この課題は、開閉装置が完全に組み立てられた状態で、断路位置で開閉装置に結合される拘束可能な拘束部材により接点が断路位置に機械的に拘束され、その結果電磁駆動装置に駆動電流が供給された際も接点が断路位置に留まることにより達成される。
【０００８】
拘束部材を拘束部材受入部に挿入することで接点が保持されるなら、開閉装置は構造的に特に簡単になる。その際、拘束部材受入部は両側又は片側でのみ開放させ得る。
【０００９】
拘束部材が開閉装置内に落下しないように保持すると、接点の保持のための独立した部材が不要になる。更にその場合、拘束部材が開閉装置、特に場合によっては拘束部材受入部に適合される。そのため許容誤差が予め判るか、極少になる。
【００１０】
開閉装置が電流回路に挿入される補助スイッチを備え、電磁駆動装置に補助スイッチを経て駆動電流を供給するなら、電磁駆動装置へのエネルギー供給を開閉装置で断つことができる。
【００１１】
補助スイッチが、接点の機械的拘束時に開路するように構成すれば、コイル電流回路のうっかりミスによる開路不実行を未然に防止できる。
【００１２】
従来技術では、実際上接点を接点ブリッジ支持体で操作する。接点ブリッジ支持体もしばしば外部から、例えば補助スイッチの装着のためにアクセスされる。更に電磁開閉装置が所謂転極器装置の枠内で、即ち第２の開閉装置と所謂転極器装置と共に使用できる。この種転極器装置では、両開閉装置の一方の投入が他方の開閉装置の投入を阻止する。
【００１３】
接点ブリッジ支持体が外部からアクセス可能なら、開閉装置を本体部と付属部に分割できる。その場合、接点（および接点ブリッジ支持体）を開閉装置内に配置し、少なくとも接点が断路位置に機械的に拘束された際、拘束部材が付属部に結合される。自明の如く、その場合、付属部は本体部に結合される。
【００１４】
付属部と本体部の結合は取り外し自在でも、取り外し不能でもよい。少なくとも接点が断路位置で機械的に保持された際、付属部が本体部に分離不能に結合せねばならない。
【００１５】
本体部と付属部との結合は、付属部を本体部にはめ込むことで特に簡単になる。
【００１６】
本体部の構成に従い、付属部は、接点を駆動する接点ブリッジ支持体の変位方向に平行又は直角に延びた本体部の側面に隣接させ得る。補助接点は原理的に任意に配置できる。補助接点を付属部内に配置するとよい。
【００１７】
補助スイッチを配置した補助スイッチハウジングが開閉装置に結合可能であり、補助スイッチが、接点を駆動する接点ブリッジ支持体により接点と一緒に駆動されるなら、開閉装置は柔軟性をもって適用可能になる。その場合、補助スイッチが接点ブリッジ支持体によって好ましくは遊びなしに結合される。しかし結合は直接的であっても、間接的であってもよい。
【００１８】
他の利点および個々の詳細を、図面を参照して行う実施例の説明から明らかにする。
【００１９】
図１と２において、電磁開閉装置の本体部１は、例えば電磁接触器として構成される。この接触器は、例えば電磁駆動装置２、接極子３、接点ブリッジ支持体４および電気接点５（通常は複数個）を備えている。図１と２は図を見易くすべく、唯一の接点５のみを示している。各接点５は通常、２つの固定接点部５′と可動接点ブリッジ５″からなる。
【００２０】
電磁駆動装置２はコイル２′と鉄心２″を備える。コイル２′に操作ユニット６を介して駆動電流Ｉが供給される。コイル２′に駆動電流Ｉが流れると、接極子３が鉄心２″側に吸引され、そのため接点ブリッジ支持体４およびそれと一体動作の接点ブリッジ５″がブリッジ位置に変位し、接点５の閉成が起る。この状態を図１に示す。
【００２１】
それに対しコイル２′に駆動電流Ｉが供給されないときは、接点ブリッジ支持体４およびそれと一体動作の接点ブリッジ５″が復帰ばねによって断路位置に変位し、接点５が開く。この状態を図２に示す。復帰ばねは、図の簡単化のため省略している。
【００２２】
接点ブリッジ支持体４は、断路位置からブリッジ位置への変位時およびその逆の方向への変位時、方向Ｘに変位する。図１と２では、本体部１に付属部７を隣接配置している。ここで付属部７は、本体部１の、変位方向Ｘに直角に走る側面に隣接している。
【００２３】
付属部７も電磁開閉装置の構成要素である。付属部７は本体部１に、例えばはめ込み式にて結合される。付属部７は接点ブリッジ支持体４に対する延長部８を備える。延長部８は接点ブリッジ支持体４に、好ましくは遊びなしに結合され、そのため延長部８は接点ブリッジ支持体４により強制的に駆動される。
【００２４】
付属部７は貫通型、即ち両側開放型の拘束部材受入部９を備え、延長部８は対応する凹所１０を備えている。もし接点ブリッジ支持体４と共に接点５が断路位置にあれば、図２に示す如く、拘束部材１１、ここでは例えば南京錠１２の引っかけ金具１１を、手動により拘束部材受入部９に差し込める。ロック本体１３の、ここでは南京錠１２の錠本体１３の操作により、拘束部材１１が接点ブリッジ支持体４の断路位置で付属部７（又は開閉装置）に拘束状態で結合される。もし拘束部材１１が拘束部材受入部９内にあれば、延長部８と、それと一体動作する接点ブリッジ支持体４および接点５が断路位置に機械的に拘束される。たとえ電磁駆動装置２に駆動電流Ｉが供給されても、これら部材４，５，８は断路位置に留まる。その際、拘束部材受入部９への拘束部材１１の挿入は、開閉装置を完全に組み立てた状態で、目視により行える。
【００２５】
付属部７と本体部１との結合は、取り外し自在となし得る。しかし、少なくとも接点５が断路位置に機械的に拘束される場合には、取り外し不能にするとよい。付属部７が本体部１に永久的に取り外し不能に結合される場合には、それはむしろ大抵利点となる。
【００２６】
図１と２では、開閉装置は付属部７内に配置された補助スイッチ１４を備える。該スイッチ１４は、図１と２ではコイル２′の電流回路内に挿入されており、そのため電磁駆動装置２の駆動電流Ｉが補助スイッチ１４で開閉される。更に補助スイッチ１４は、拘束部材１１を拘束部材受入部９に挿入した際、即ち接点５を機械的に断路位置に拘束した際、電流回路を開路するように構成される。従って接点ブリッジ支持体４の拘束時、電磁駆動装置２のうっかりミスによる投入は不可能になる。従って場合によっては起り得る、コイル２′の長時間の大電流負荷による損傷を回避できる。
【００２７】
図３と４の実施例は、図１と２の実施例に略対応する。しかし図３では、付属部７の、本体部１と反対側に、補助スイッチハウジング１５を載置し、付属部７に結合している。補助スイッチハウジング１５は付属部７に、例えばはめ込み式に結合する。補助スイッチハウジング１５内には補助スイッチ１６が配置される。補助スイッチ１６は、接点ブリッジ支持体４により接点５と一緒に駆動される。
【００２８】
開閉装置を本体部１と付属部７とに分割することで、補助スイッチ１６は接点ブリッジ支持体４によって延長部８を介してのみ、即ち間接的な駆動が可能である。しかし、開閉装置の対応する一体型の構成では、直接駆動も可能である。いずれにしても、補助スイッチ１６は接点ブリッジ支持体４により遊びなしに駆動せねばならない。
【００２９】
図４の装置では、図１および３と異なり、拘束部材受入部９は一方の側のみが開放している。更に図４の実施形態による拘束部材１１は付属部７に永久結合されている。そのため拘束部材１１と拘束部材受入部９は協働する保持係止部材１７，１８を備えており、該部材により拘束部材１１は落下することのないように付属部７内に保持される。図４では保持係止部材１７，１８の一方が補助スイッチ１４用の操作機構に相当する。しかし、補助スイッチ１４用の操作機構は別々の分離した部材であってもよい。
【００３０】
図５〜１４の実施例でも、電磁開閉装置は本体部１と付属部７からなる。ここで本体部１の構造は、図１〜４で説明した本体部１に類似している。ただ、図５〜１４の本体部１では、特に図５と６を参照するに、接点ブリッジ支持体４の側面に操作部材１９を配置している。ここで「側面に」とは、接点ブリッジ支持体４の変位方向Ｘに関してのことである。そのため、操作部材１９の拘束により、接点ブリッジ支持体４および接点５も拘束される。
【００３１】
図５と６に示す本体部１は、所謂転極器として知られている。転極器では、２組の開閉装置を並置する。図５は、第２の開閉装置を鎖線で示す。両開閉装置の各接点ブリッジ支持体４は上述の一方の操作部材１９を備える。これは公知の阻止回路２０と同様にそれと協働する。その際、阻止回路２０内に拘束部材１１が落下しないよう配置する。
【００３２】
従来技術の回路では、例えば図５における左側の電磁接触器の投入時、拘束部材１１が右側の電磁接触器の投入を阻止すべく機能する。同様に、逆に右側の電磁接触器の投入時は左側の電磁接触器の投入を阻止する。
【００３３】
前述の動作態様は、欧州特許出願公開第０３１３９５４号明細書や国際出願公開第ＷＯ０１／２４２１３号パンフレットに詳細に記載されている。従って、これらの公開明細書を全面的に参照するものとする。
【００３４】
公知の転極回路では、２組の開閉装置を阻止回路２０と一緒に用いる。その際、各開閉装置は専ら電磁駆動型である。
【００３５】
本発明では、両開閉装置の一方と阻止回路２０を付属部７で置換する。即ち付属部７を本体部１の側方に配置する。付属部７と本体部１の結合は嵌めこみ式結合でよい。この結合は、特に接点５を断路位置に拘束する場合、取り外し不能に構成するとよい。
【００３６】
図７〜１０の付属部７は変位部材２１を備える。変位部材２１は付属部７に結合され、落下することのないように付属部７内に保持される。
【００３７】
変位部材２１が拘束方向ｙに変位した際、該部材２１は拘束部材１１を、操作部材１９および接点ブリッジ支持体４、電気接点５を拘束するように振り出す。この拘束動作は接点５の断路位置で自明の如く行われる。その際、変位部材２１は例えば南京錠１２によって拘束され（図１１〜１４参照）、ここに拘束作用を保障する。
【００３８】
かくして図５〜１４の実施例でも、接点５が断路位置に機械的に拘束される。
【００３９】
図５〜１４の実施例でも、補助スイッチ１４を付属部７内に配置する（特に図１０、１４参照）。その結果、ここでも接点５の機械的拘束の際、電磁駆動装置２のコイル２′に駆動電流Ｉを供給する電流回路が強制的かつ自動的に開路するように作用できる。
【００４０】
かくして本発明に従って構成した電磁開閉装置によれば、電磁開閉装置の断路器特性を容易に拡張できる。
【図面の簡単な説明】
【００４１】
【図１】電磁開閉装置の断面図である。
【図２】図１の一変形例を示す断面図である。
【図３】図１の他の変形例を示す断面図である。
【図４】他の電磁開閉装置の断面図である。
【図５】他の電磁開閉装置の説明図である。
【図６】図５の詳細を示す要部の斜視図である。
【図７】図５の電磁開閉装置の側面図である。
【図８】図７の電磁開閉装置の正面図である。
【図９】図７の電磁開閉装置の上面図である。
【図１０】図７の電磁開閉装置を図８のＸ−Ｘ線に沿って見た断面図である。
【図１１】図５の電磁開閉装置の他の構成例を示す側面図である。
【図１２】図１０の電磁開閉装置の正面図である。
【図１３】図１０の電磁開閉装置の上面図である。
【図１４】図１０の電磁開閉装置を図１２のＸＩＶ−ＸＩＶ線に沿って見た断面図である。
【符号の説明】
【００４２】
１  本体部、２  電磁駆動装置、３  接極子、４  接点ブリッジ支持体、５  電気接点、６  操作ユニット、７  付属部、８  延長部、９  拘束部材受入部、１０  凹所、１１  拘束部材、１２  南京錠、１３  ロック本体、１４  補助スイッチ、１５  補助スイッチハウジング、１６  補助スイッチ、１９  操作部材、２０  阻止回路、２１  変位部材
【図１】
2006501613.tif 000003
【図２】
2006501613.tif 000004
【図３】
2006501613.tif 000005
【図４】
2006501613.tif 000006
【図５】
2006501613.tif 000007
【図６】
2006501613.tif 000008
【図７】
2006501613.tif 000009
【図８】
2006501613.tif 000010
【図９】
2006501613.tif 000011
【図１０】
2006501613.tif 000012
【図１１】
2006501613.tif 000013
【図１２】
2006501613.tif 000014
【図１３】
2006501613.tif 000015
【図１４】
2006501613.tif 000016
【国際調査報告】
2006501613.tif 000017
2006501613.tif 000018
2006501613.tif 000019
2006501613.tif 000020